(57)【要約】【課題】  構成が簡単かつ安価であり、しかも仮想空間への没入感を高めることができる広視野画像表示操作装置。【解決手段】  画像表示操作装置１の内部に画像表示装置を設置し、接眼部２より画像を鑑賞する。この画像は広視野画像の一部分が表示され、人が接眼部２を手で操作することにより、垂直方向へはＹ軸４、水平方向へはＸ軸５を軸に回転し、画像表示操作装置１の向きを連続的に変化させることが可能である。その際、Ｙ軸４とＸ軸５に付随する角度センサーが画像表示装置１の回転角の変化量を出力し、変化角度に連動した画像を表示する。また、回転ハンドルの操作により、画像のズームインズームアウトを行うことが可能である。これにより、広視野画像を操作に合わせて連続的に出力し、あたかも眼前に広視野画像が表示されているかのような没入感を体感することが可能となる。【選択図】図１
2007316568.tif 000002
【特許請求の範囲】
【請求項１】
人が接眼部より内部の画像表示装置を覗く形状を有し、装置を垂直水平方向に回転させる操作に、内部の画像表示装置の画像が連動することにより、上下左右に画像がスクロールし、広視野画像の表示を特徴とする、画像操作部と表示部が一体となった装置。
【請求項２】
人が接眼部より内部の画像表示装置を覗く形状を有し、装置を垂直水平方向に回転させる操作に内部の画像表示装置の画像が連動し、上下左右に画像がスクロールする。加えて、画像表示操作装置に付随の回転ハンドルを回転させることにより内部の画像のズームインやズームアウト操作が可能な、広視野画像の表示を特徴とする、画像操作部と表示部が一体となった装置。
【発明の詳細な説明】
【技術分野】
【０００１】  本発明は、画像の操作と表示に関するものであり、画像表示装置自体を操作することにより、広視野の画像出力を容易にし、人の仮想空間への没入感を増幅させるものである。
【背景技術】
【０００２】  従来から広視野の画像再生装置として、広視野画像の一部分をＣＲＴディスプレイ上に表示し、コンピューターの画像操作装置であるマウスを用い、上下左右のスクロールや拡大縮小のズーミング操作を行い、広視野画像の操作を行う方法がある。また、人体に装着するヘッドマウントディスプレイにおいて、眼前に広視野画像を表示し、ヘッドマウントディスプレイに内蔵されたセンサーが頭部の向きに連動した広視野画像の一部分を表示する方法が用いられている。仮想現実の世界への没入感を増幅させる方法として大型スクリーンに広視野画像を投影し、人間の視界をスクリーンで覆う方法が用いられている。
【発明の開示】
【発明が解決しようとする課題】
【０００３】  しかし、従来のような広視野画像再生装置では、ヘッドマウントディスプレイの様に複雑なセンサーを有した機器を人体に装着しなければならず、大型スクリーンでは設置面積が広く必要となり、容易に広視野の画像を鑑賞することは難しい。
また、ＣＲＴディスプレイ上に広視野画像の一部を表示し、マウスでスクロールやズーミング等の操作を行う場合、装置の仕組みや操作は容易ではあるが、画像表示部とマウスの操作部が個別の装置となってしまい、人間の行う操作とそれに対応する反応に一体感が乏しく、仮想現実への没入感が希薄である。本発明は、このような、広視野画像を表示し操作することにおいて、構成が簡単かつ安価であり、容易に仮想現実への没入感を得ることを課題とする。
【課題を解決するための手段】
【０００４】  この課題を解決するための請求項１の発明は、画像の操作部と表示部の装置が一体化し、接眼部を通して内部の画像表示装置を覗きながら広角視野画像の操作を行うことを特徴とする画像表示操作装置である。画像表示装置は画像表示操作装置の内部に設置され、接眼部に眼を近づけて内部を覗くような形状を有する。内部の画像表示装置は、仮想空間上の広角視野画像の一部分を取り出した画像の表示が行われており、鑑賞者が接眼部を手で持ち、水平垂直方向に動かすことにより、画像表示操作装置全体の方角が変化し、その向きに連動した画像が内部の画像表示装置に表示される。画像表示操作装置の方角の変化は、角度センサーによって随時変化量を取得し、変化量に応じて広視野画像内でスクロールを行い、内部の画像表示装置に出力する。鑑賞者は、見ようとする方角へ画像表示操作装置を向けることにより、その方角の仮想空間の画像を鑑賞することが可能である。【０００５】  また、請求項２の発明は、画像の操作部と表示部の装置が一体化し、接眼部を通して内部の画像表示装置覗きながら広視野画像の画像操作を行うことを特徴とする画像表示操作装置である。画像表示装置は画像表示操作装置の内部に設置され、接眼部に眼を近づけて内部を覗くような形状を有する。内部の画像表示装置は、広視野画像の一部分を取り出した画像の表示が行われており、接眼部を手で持ち、水平垂直方向に動かすことにより、画像表示操作装置全体の方角が変化し、その向きに連動した画像が内部の画像表示装置に表示される。画像表示操作装置の方角の変化は、角度センサーによって随時変化量を取得し、変化量に応じて広視野画像の内でスクロールを行い、内部の画像表示装置に出力する。鑑賞者は、見ようとする方角へ画像表示操作装置を向けることにより、その方角の仮想空間の画像を鑑賞することが可能である。また、接眼部の付近には回転ハンドルが付随しており、接眼部から内部を覗きつつ回転ハンドルを回転させることによって、広視野画像内の一部分の画像に対し、ズームインやズームアウトを行うことが出来る。
【発明の効果】
【０００６】  本発明により、画像の表示部と操作部が一体化し、鑑賞者が広視野画像を鑑賞することと、その画像を操作することに対し、一体感を得ることが可能であり、広視野画像の操作を容易に行うことが出来る。また、広視野画像の鑑賞を接眼部から覗く形状に限定することにより、画像の鑑賞者は内部の画像を見るために眼を接眼部に近づける行為を行う。そうすることによって、鑑賞者の眼前を覆う広範囲な視野に広視野画像が広がる。さらに、鑑賞者が見ようとする方角に画像表示操作装置を向けることにより、その方角の画像が表示され、一体感を伴い、大きな没入感を得ることが出来る。
【発明を実施するための最良の形態】
【０００７】  実施の形態について図１ないし図２、図３を用いて説明する。画像表示操作装置１の内部に画像表示装置７を設置し、接眼部２より眼を近づけて内部を覗くことにより画像を鑑賞する。この画像は、パノラマ画像や全天周画像などの広視野画像８の一部分の範囲９が内部画像表示装置７に表示されている。広視野画像８は、コンピューター上に記録された仮想の画像であり、内部の画像表示装置７に表示される画像は、画像９の範囲に限定される。【０００８】  人が、画像表示操作装置１の接眼部２を手で持ち上下左右に操作することにより、垂直方向へはＹ軸４、水平方向へはＸ軸５を軸に回転し、画像表示操作装置１の向きを連続的に広範囲へ回転させることが可能である。その際、Ｙ軸４とＸ軸５部分に付属した角度センサーが画像表示操作装置１の回転角の変化量を取得し、画像処理装置は変化角度に連動した表示範囲９の画像を広視野画像８から連続的に生成し、内部の画像表示装置７に表示する。例えば、画像表示操作装置１を水平右方向へ２０度動かした場合、Ｘ軸５部分の角度センサー１０が２０度に相当する信号を出力し、画像処理装置１１がその信号を元に、広視野画像８の中の内部画像表示装置の表示範囲９を水平方向右へ２０度分ずらして、再度、画像表示装置１２へ出力を行う。【０００９】  また、回転ハンドル３の操作により、回転ハンドルに付随の角度センサーから情報が出力され、画像処理装置により、画像のズームインズームアウトを行うことが出来、内部画像表示装置の表示範囲９の拡大縮小を行うことが可能である。これにより、広視野の画像８の一部９を人間の操作に合わせて連続的に内部画像表示装置７出力し、あたかも眼前に広視野画像が表示されているかのような没入感を体感することが可能となる。
【産業上の利用可能性】
【００１０】  本発明に係わる画像表示操作装置は、パノラマ写真や全天周画像などの広視野画像を表示、操作する装置として、安価な小型画像表示装置や少数のセンサーで簡単に安価で構成し、工業的にも量産することが可能である。また、接眼部より内部を覗くという形状の特徴により、ゲームやアミューズメント機器、教育教材としての産業上の利用可能性を有する。
【図面の簡単な説明】
【００１１】
【図１】画像表示操作装置全体の斜視図
【図２】コンピューターの仮想空間上に記録された広視野画像の概念図
【図３】画像操作のフローチャート
【符号の説明】
【００１２】１  画像表示操作装置
２  接眼部
３  回転ハンドル
４  Ｙ軸
５  Ｘ軸
６  バランス用おもり
７  画像表示装置
８  広視野画像
９  内部画像表示装置の表示範囲
１０  角度センサー
１１  画像処理装置
１２  画像表示装置
【図１】
2007316568.tif 000003
【図２】
2007316568.tif 000004
【図３】
2007316568.tif 000005